【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
バッテリをエネルギー源に用いて走行する車両の位置の情報及び航続可能距離の情報を取得し、
前記位置から前記航続可能距離の範囲内にある充電ステーションを抽出し、
抽出した前記充電ステーションに関連付けられたスポットを抽出し、
抽出した前記スポットの情報を送信する、制御部、
を備える、情報処理装置。
【請求項２】
請求項１に記載の情報処理装置において、
前記制御部は、
前記車両に搭載されたナビゲーション装置から、前記位置の情報及び前記航続可能距離の情報を取得し、
前記ナビゲーション装置に、抽出した前記スポットの情報及び抽出した前記充電ステーションの情報を送信する、情報処理装置。
【請求項３】
請求項１又は２に記載の情報処理装置において、
前記制御部は、
前記車両のバッテリ残量の情報を取得し、
前記充電ステーションに設置されている充電装置の型式と、前記バッテリ残量とに基づいて前記バッテリの充電時間を算出し、
前記充電時間の間に前記充電ステーションから立ち寄り可能なスポットを抽出する、情報処理装置。
【請求項４】
請求項３に記載の情報処理装置において、
前記制御部は、前記充電ステーションから前記スポットへの立ち寄りにかかる時間に基づいて、前記充電時間の間に立ち寄り可能であるか否かを判定する、情報処理装置。
【請求項５】
請求項４に記載の情報処理装置において、
前記制御部は、前記スポットへの立ち寄りにかかる時間を、前記充電ステーションから前記スポットへの往復の移動時間と、前記スポットにおける滞在時間とに基づいて算出する、情報処理装置。
【請求項６】
請求項１から５のいずれか一項に記載の情報処理装置において、
前記制御部は、前記車両の目的地の情報及び前記車両の位置から当該目的地までのルートの情報を取得すると、前記車両の前記位置から前記航続可能距離の範囲内にあり、且つ、前記ルートから所定の距離の範囲内にある充電ステーションを抽出する、情報処理装置。
【請求項７】
請求項１から６のいずれか一項に記載の情報処理装置において、
前記制御部は、前記複数のスポットの中から２つ以上のスポットを抽出し、当該２つ以上のスポットに優先順位をつけて、当該優先順位の情報と併せて当該２つ以上のスポットの情報を送信する、情報処理装置。
【請求項８】
請求項１から７のいずれか一項に記載の情報処理装置と、
前記車両に搭載されたナビゲーション装置と、を備える情報処理システム。
【請求項９】
バッテリをエネルギー源に用いて走行する車両の位置の情報及び航続可能距離の情報を取得することと、
前記位置から前記航続可能距離の範囲内にある充電ステーションを抽出することと、
抽出した前記充電ステーションに関連付けられたスポットを抽出することと、
抽出した前記スポットの情報を送信することと、を含む動作をコンピュータに実行させる、プログラム。
【請求項１０】
請求項９に記載のプログラムにおいて、
前記位置の情報及び前記航続可能距離の情報を取得することは、前記車両に搭載されたナビゲーション装置から、前記位置の情報及び前記航続可能距離の情報を取得することを含み、
抽出した前記スポットの情報を送信することは、前記ナビゲーション装置に、抽出した前記スポットの情報を送信することを含む、プログラム。
【請求項１１】
請求項９又は１０に記載のプログラムにおいて、
前記車両のバッテリ残量の情報を取得することと、
前記充電ステーションに設置されている充電装置の型式と、前記バッテリ残量とに基づいて前記バッテリの充電時間を算出することと、
前記充電時間の間に前記充電ステーションから立ち寄り可能なスポットを抽出することと、をさらに含む、プログラム。
【請求項１２】
請求項１１に記載のプログラムにおいて、
前記立ち寄り可能なスポットを前記複数のスポットから抽出することは、前記充電ステーションから前記スポットへの立ち寄りにかかる時間に基づいて、前記充電時間の間に立ち寄り可能であるか否かを判定することを含む、プログラム。
【請求項１３】
請求項１２に記載のプログラムにおいて、
前記充電時間の間に立ち寄り可能であるか否かを判定することは、前記スポットへの立ち寄りにかかる時間を、前記充電ステーションから前記スポットへの往復の移動時間と、前記スポットにおける滞在時間とに基づいて算出することを含む、プログラム。
【請求項１４】
請求項９から１３のいずれか一項に記載のプログラムにおいて、
前記車両の目的地の情報及び当該目的地までのルートの情報を取得することと、
前記車両の前記位置から前記航続可能距離の範囲内にあり、且つ、前記ルートから所定の距離の範囲内にある充電ステーションを抽出することと、をさらに含む、プログラム。
【請求項１５】
情報処理装置における情報処理方法であって、
バッテリをエネルギー源に用いて走行する車両の位置の情報及び航続可能距離の情報を取得することと、
前記位置から前記航続可能距離の範囲内にある充電ステーションを抽出することと、
抽出した前記充電ステーションに関連付けられたスポットを抽出することと、
抽出した前記スポットの情報を送信することと、を含む情報処理方法。
【請求項１６】
請求項１５に記載の情報処理方法において、
前記位置の情報及び前記航続可能距離の情報を取得することは、前記車両に搭載されたナビゲーション装置から、前記位置の情報及び前記航続可能距離の情報を取得することを含み、
抽出した前記スポットの情報を送信することは、前記ナビゲーション装置に、抽出した前記スポットの情報を送信することを含む、情報処理方法。
【請求項１７】
請求項１５又は１６に記載の情報処理方法において、
前記車両のバッテリ残量の情報を取得することと、
前記充電ステーションに設置されている充電装置の型式と、前記バッテリ残量とに基づいて前記バッテリの充電時間を算出することと、
前記充電時間の間に前記充電ステーションから立ち寄り可能なスポットを抽出することと、をさらに含む、情報処理方法。
【請求項１８】
請求項１７に記載の情報処理方法において、
前記立ち寄り可能なスポットを前記複数のスポットから抽出することは、前記充電ステーションから前記スポットへの立ち寄りにかかる時間に基づいて、前記充電時間の間に立ち寄り可能であるか否かを判定することを含む、情報処理方法。
【請求項１９】
請求項１８に記載の情報処理方法において、
前記充電時間の間に立ち寄り可能であるか否かを判定することは、前記スポットへの立ち寄りにかかる時間を、前記充電ステーションから前記スポットへの往復の移動時間と、前記スポットにおける滞在時間とに基づいて算出することを含む、情報処理方法。
【請求項２０】
請求項１５から１９のいずれか一項に記載の情報処理方法において、
前記車両の目的地の情報及び当該目的地までのルートの情報を取得することと、
前記車両の前記位置から    前記航続可能距離の範囲内にあり、且つ、前記ルートから所定の距離の範囲内にある充電ステーションを抽出することと、をさらに含む、情報処理方法。
【請求項２１】
バッテリをエネルギー源に用いて走行する車両の位置から当該車両の航続可能距離の範囲内にある充電ステーションと、前記充電ステーションに関連付けられたスポットとを表示する出力部、を備える、ナビゲーション装置。
【請求項２２】
請求項２１に記載のナビゲーション装置において、
前記出力部は、前記充電ステーションから前記スポットまでの距離情報を併せて表示する、ナビゲーション装置。
【請求項２３】
請求項２１又は２２に記載のナビゲーション装置において、
前記出力部は、ユーザが選択した充電ステーションに関連付けられた前記スポットを表示する、ナビゲーション装置。
【請求項２４】
請求項２１から２３のいずれか一項に記載のナビゲーション装置において、
前記出力部は、前記充電ステーションに関連付けられた前記スポットの数を併せて表示する、ナビゲーション装置。
【請求項２５】
請求項２１から２４のいずれか一項に記載のナビゲーション装置において、
前記出力部は、前記充電ステーションに関連付けられた前記スポットの名称を併せて表示する、ナビゲーション装置。
【手続補正２】
【補正対象書類名】明細書
【補正対象項目名】発明の名称
【補正方法】変更
【補正の内容】
【発明の名称】情報処理装置、情報処理システム、プログラム、情報処理方法及びナビゲーション装置